(57)【要約】【課題】切換操作部材の不用意な切り換えを抑止し得る構造を単純な構成で実現したレンズ鏡筒を提供する。【解決手段】第１枠部材７と、光軸Ｏ方向に当接用端面２０ａ，２０ｂを有し第１枠部材に対し光軸方向に移動可能で光軸上の第１位置で光軸周りに回転可能で第１位置から移動した第２位置でも回転可能な筒形状の第２枠部材２０と、第２枠部材の光軸移動を規制する規制用端面２３ｄ，３４ｄを有し光軸周りに回動可能で回動に伴い当接用端面から規制用端面が離間し第２枠部材の第１位置から第２位置への移動を許容する移動許容位置と、回動に伴い当接用端面と規制用端面とが当接し第２枠部材の第１位置から第２位置への移動を阻止する移動阻止位置とに光軸方向に移動する移動阻止部材２３と、移動阻止部材に対する光軸周りの回動操作により移動阻止部材を移動許容位置と移動阻止位置とに移動させ得るカム手段７ａ，２３ａとを具備する。【選択図】図３
2017003656.tif 000002
【特許請求の範囲】
【請求項１】
第１の枠部材と、
筒状に形成され、光軸方向に当接用の当接用端面を有し、上記第１の枠部材に対し光軸方向に移動可能で光軸上の第１の位置で光軸周りに回転可能で上記第１の位置から光軸方向に移動した第２の位置でも光軸周りに回転可能な第２の枠部材と、
上記当接用端面に対向する面であって上記第２の枠部材の光軸移動を規制するための規制用端面を有し、上記光軸周りに回動可能で、上記回動に伴って上記当接用端面から上記規制用端面が離間して上記第２の枠部材の上記第１の位置から上記第２の位置への移動を許容する上記光軸上の移動許容位置と、上記回動に伴って上記当接用端面と上記規制用端面とが当接して上記第２の枠部材の上記第１の位置から上記第２の位置への移動を阻止する上記光軸上の移動阻止位置とに光軸方向に移動する移動阻止部材と、上記移動阻止部材に対する光軸周りの回動操作により上記移動阻止部材を上記移動許容位置と上記移動阻止位置とに移動させることが可能なカム手段と、
を具備することを特徴としたレンズ鏡筒。
【請求項２】
上記カム手段は、
上記第１の枠部材若しくは上記移動阻止部材に、径方向に突出して設けられた凸部と、
上記凸部と係合するため上記移動阻止部材若しくは上記第１の枠部材に設けられた溝部であって、上記移動阻止部材を上記移動許容位置に維持させるため円周方向に沿って設けられた第１の溝部と、上記移動阻止部材を上記移動阻止位置に維持させるため上記第１の溝部から連続して上記第１の溝部と平行に上記第１の溝部に対し光軸方向にずれた位置に設けられた第２の溝部とからなるカム溝と、
を有することを特徴とした請求項１に記載のレンズ鏡筒。
【請求項３】
上記移動阻止部材は、環状に形成されていることを特徴とした請求項１に記載のレンズ鏡筒。
【請求項４】
さらに、上記光軸周りに回動可能で、上記移動阻止部材の回動に連動して回動し、光軸方向に移動し、上記第２の枠部材の上記第２の位置から上記第１の位置への移動を許容する光軸上の第２の移動許容位置と、上記第２の枠部材の上記第２の位置から上記第１の位置への移動を阻止する光軸上の第２の移動阻止位置とに移動する第２の移動阻止部材と、
上記移動阻止部材の回動に伴って上記第２の移動阻止部材を光軸方向に連動させて移動させることを可能とする連結部材と、
を具備し、
上記カム手段は、さらに、上記移動阻止部材に対する光軸周りの回動操作により、上記第２の移動阻止部材を上記第２の移動許容位置と上記第２の移動阻止位置とに移動させることが可能であることを特徴とした請求項１記載のレンズ鏡筒。
【請求項５】
上記連結部材は、上記移動阻止部材と上記第２の移動阻止部材とに固定連結され、
上記カム手段は、上記第１の枠部材若しくは上記移動阻止部材に、径方向に突出して設けられた凸部と、上記凸部と係合するため上記移動阻止部材若しくは上記第１の枠部材に設けられた溝部であって、上記移動阻止部材を上記移動許容位置に維持させるため円周方向に沿って設けられた第１の溝部と、上記移動阻止部材を上記移動阻止位置に維持させるため上記第１の溝部と平行に上記第１の溝部に対し光軸方向にずれた位置に円周方向に設けられた第２の溝部と、上記第２の移動阻止部材を上記第２の移動規制位置に維持させるために上記第１の溝部に対し光軸方向にずれた位置であって上記第２の溝部と共に上記第１の溝部を挟むように上記第１の溝部から連続して配置され円周方向に沿って設けられた第３の溝部とからなるカム溝を有することを特徴とした請求項４に記載のレンズ鏡筒。
【請求項６】
上記連結部材は、上記第２の移動阻止部材に固定連結され、
上記カム手段は、上記第１の枠部材若しくは上記移動阻止部材に径方向に突出して設けられた第１の凸部と、上記第１の凸部と係合するため上記移動阻止部材若しくは上記第１の枠部材に設けられた溝部とからなる第１のカム手段と、上記連結部材若しくは上記移動阻止部材に径方向に突出して設けられた第２の凸部と、上記第２の凸部と係合するため上記移動阻止部材若しくは上記連結部材に設けられた溝部とからなる第２のカム手段と、からなり、
上記第１のカム手段の溝部は、上記移動阻止部材を上記移動許容位置に維持するため円周方向に沿って伸びた第１の領域と、上記第１の領域の一端からさらに円周方向に延長して伸びた第２の領域とを有する第１の溝部と、上記移動阻止部材を上記移動阻止位置に維持するため上記第１の溝部から連続して上記第１の溝部と光軸方向にずれた位置に円周方向に沿って伸びた第２の溝部と、を有し、
上記第２のカム手段の溝部は、上記第１の凸部が上記第１の領域にあるとき、上記第２の移動阻止部材を上記第２の移動許容位置に維持するため円周方向に沿って伸びた第４の溝部と、上記第１の凸部が上記第２の溝部にあるとき、上記第２の移動阻止部材を上記第２の移動許容位置に維持し、上記移動阻止部材を上記移動阻止位置に維持させ、上記第２の移動阻止部材と共に上記第２の枠部材を回動可能に挟むため光軸方向にずれて円周方向に伸びた第５の溝部と、上記第４の溝部から連続して上記第４の溝部と光軸方向にずれた方向に円周方向に沿って伸びて、上記第１の凸部が上記第２の領域にあるとき、上記第２の移動阻止部材を上記第２の移動阻止位置に維持し、上記移動阻止部材と共に上記第２の枠部材を回動可能に挟む第６の溝部と、からなるカム溝と
を有することを特徴とした請求項４に記載のレンズ鏡筒。
【発明の詳細な説明】
【技術分野】
【０００１】
この発明は、撮像装置において手動で光軸方向に移動させる操作環を有するレンズ鏡筒に関するものである。
【背景技術】
【０００２】
従来、複数の光学レンズ等からなる撮像光学系を含むレンズ鏡筒を有し、上記撮像光学系によって結像された光学像を光電変換素子等（以下、撮像素子という）を用いて順次光電変換し、これにより取得された画像信号を所定の形態のデジタル画像データとして記憶媒体に記憶すると共に、当該デジタル画像データに基いて静止画像又は動画像を表示する画像表示装置等を備えて構成された撮像装置等が一般に実用化され広く普及している。
【０００３】
そして、従来のこの種の撮像装置においては、自動焦点調節（オートフォーカス；ＡＦ）操作と手動焦点調節（マニュアルフォーカス；ＭＦ）操作とを切り換えて使用可能な構成を備えたものが実用化されている。
【０００４】
例えば、ＡＦ操作とＭＦ操作とを切り換えるための操作部材をレンズ鏡筒側に設け、使用者（ユーザ）が切り換えを所望する時に任意に操作することにより、ＡＦ操作とＭＦ操作とを容易に切り換えて使用することができるようにしたものが、特開２０１２−２５５８９９号公報等によって、種々開示されて提案がなされている。
【０００５】
上記特開２０１２−２５５８９９号公報等によって開示されているレンズ鏡筒は、撮像光学系の光軸周りに回動自在に構成された環状の回転操作部材であるフォーカスリングを、光軸に沿う方向に進退移動させることによって、ＡＦ操作とＭＦ操作とを容易に切り換えることができると共に、上記回転操作部材（フォーカスリング）は、ＭＦ操作を行なう位置に配置した時には、光軸周りに回転操作することによってＭＦ操作を行うための操作部材として機能するように構成したものである。
【先行技術文献】
【特許文献】
【０００６】
【特許文献１】特開２０１２−２５５８９９号公報
【発明の概要】
【発明が解決しようとする課題】
【０００７】
ところが、上記特開２０１２−２５５８９９号公報等によって開示されているレンズ鏡筒においては、ＡＦ操作とＭＦ操作との切り換え操作を容易に行うことができるようにした構成であるがために、例えば撮像装置を鞄等に入れて運搬している場合や、撮像装置をネックストラップ等を用いて使用者（ユーザ）が身に着けた状態で運搬している場合等、使用者（ユーザ）が意図しないときに、使用者（ユーザ）の意図に反した設定に切り換わってしまうおそれがあった。
【０００８】
本発明は、上述した点に鑑みてなされたものであって、その目的とするところは、レンズ鏡筒の操作環の切り換え操作についての良好な操作性を維持しながら、設定した状態が使用者（ユーザ）の意図に反して不用意に切り換わってしまうことを抑止し得る構造を、単純な構成でかつ少ない部品点数によって実現したレンズ鏡筒を提供することである。
【課題を解決するための手段】
【０００９】
上記目的を達成するために、本発明の一態様のレンズ鏡筒は、第１の枠部材と、筒状に形成され光軸方向に当接用の当接用端面を有し上記第１の枠部材に対し光軸方向に移動可能で光軸上の第１の位置で光軸周りに回転可能で上記第１の位置から光軸方向に移動した第２の位置でも光軸周りに回転可能な第２の枠部材と、上記当接用端面に対向する面であって上記第２の枠部材の光軸移動を規制するための規制用端面を有し上記光軸周りに回動可能で上記回動に伴って上記当接用端面から上記規制用端面が離間して上記第２の枠部材の上記第１の位置から上記第２の位置への移動を許容する上記光軸上の移動許容位置と、上記回動に伴って上記当接用端面と上記規制用端面とが当接して上記第２の枠部材の上記第１の位置から上記第２の位置への移動を阻止する上記光軸上の移動阻止位置とに光軸方向に移動する移動阻止部材と、上記移動阻止部材に対する光軸周りの回動操作により上記移動阻止部材を上記移動許容位置と上記移動阻止位置とに移動させることが可能なカム手段とを具備する。
【発明の効果】
【００１０】
本発明によれば、レンズ鏡筒の操作環の切り換え操作についての良好な操作性を維持しながら、設定した状態が使用者（ユーザ）の意図に反して不用意に切り換わってしまうことを抑止し得る構造を、単純な構成でかつ少ない部品点数によって実現したレンズ鏡筒を提供することができる。
【図面の簡単な説明】
【００１１】
【図１】本発明の第１の実施形態のレンズ鏡筒の外観の概略を示す外観斜視図
【図２】図１のレンズ鏡筒の一部を拡大して示すと共に、回転枠移動阻止部材の要部を示す要部拡大斜視図
【図３】図１のレンズ鏡筒における回転枠移動阻止部材のみを取り出して示す外観斜視図
【図４】図１のレンズ鏡筒の光軸に沿う縦断面図
【図５】図４の符号［５］で示す部分に相当する要部拡大断面図（回転操作部材が第１の位置に、回転枠移動阻止部材が移動許容位置にある状態を示す図）
【図６】図４の符号［５］で示す部分に相当する要部拡大断面図（図５の状態から回転枠移動阻止部材が移動して移動阻止位置にある状態を示す図）
【図７】図１のレンズ鏡筒における回転枠移動阻止部材の変形例を示し、特に操作レバー近傍を示す断面図（図１の［７］−［７］線に沿う要部拡大断面図）である。
【図８】本実施形態の作用を説明する概念図であって、回転操作部材が第１の位置（ＡＦ位置）に、回転枠移動阻止部材が移動許容位置にある状態を示す図
【図９】本実施形態の作用を説明する概念図であって、回転操作部材が第２の位置（ＭＦ位置）に、回転枠移動阻止部材が移動許容位置にある状態を示す図
【図１０】本実施形態の作用を説明する概念図であって、回転操作部材が第１の位置（ＡＦ位置）に、回転枠移動阻止部材が移動阻止位置にある状態を示す図
【図１１】本発明の第１の実施形態のレンズ鏡筒の回転枠移動阻止部材におけるクリック機構についての別の変形例を示す概念図
【図１２】本発明の第２の実施形態のレンズ鏡筒の外観の概略を示す外観斜視図
【図１３】図１のレンズ鏡筒の光軸に沿う縦断面図
【図１４】図１２のレンズ鏡筒における回転枠移動阻止部材のみを取り出して示す外観斜視図
【図１５】図１４の回転枠移動阻止部材を分解して示す分解斜視図
【図１６】図１３の符号［１６］で示す部分に相当し、フォーカスリングが第１の位置に、回転枠移動阻止部材が移動許容位置にある状態を示す要部拡大断面図
【図１７】図１３の符号［１６］で示す部分に相当し、フォーカスリングが第２の位置（ＭＦ位置）にあり、回転枠移動阻止部材における第２回転枠移動阻止リングが第２の移動許容位置にある状態を示す要部拡大断面図
【図１８】図１３の符号［１６］で示す部分に相当し、フォーカスリングが第２の位置（ＭＦ位置）にあり、回転枠移動阻止部材における第２回転枠移動阻止リングが第２の移動阻止位置にある状態を示す要部拡大断面図
【図１９】図１３の符号［１６］で示す部分に相当し、フォーカスリングが第１の位置（ＡＦ位置）にあり、回転枠移動阻止部材における第１回転枠移動阻止リングが移動阻止位置にある状態を示す要部拡大断面図
【図２０】本発明の第２の実施形態の作用を説明する概念図であって、図１６に相当する図
【図２１】本実施形態の作用を説明する概念図であって、図１７に相当する図
【図２２】本実施形態の作用を説明する概念図であって、図１８に相当する図
【図２３】本実施形態の作用を説明する概念図であって、図１９に相当する図
【図２４】本発明の第２の実施形態のレンズ鏡筒についての変形例を示し、フォーカスリング（第２の枠部材）及び回転枠移動阻止部材の部位の断面を概念的に示す要部拡大断面図
【図２５】本発明の第３の実施形態のレンズ鏡筒における回転枠移動阻止部材近傍の構成を示し、作用を説明する概念図（図２０に対応している）
【図２６】本実施形態の作用を説明する概念図であって、図２１に対応する図
【図２７】本実施形態の作用を説明する概念図であって、図２２に対応する図
【図２８】本実施形態の作用を説明する概念図であって、図２３に対応する図
【図２９】本発明の第３の実施形態のレンズ鏡筒についての変形例を示し、フォーカスリング（第２の枠部材）及び回転枠移動阻止部材の部位の断面を概念的に示す要部拡大断面図
【発明を実施するための形態】
【００１２】
以下、図示の実施の形態によって本発明を説明する。以下の説明に用いる各図面は模式的に示すものであり、各構成要素を図面上で認識可能な程度の大きさで示すために、各部材の寸法関係や縮尺等を各構成要素毎に異ならせて示している場合がある。したがって、本発明は、これら各図面に記載された構成要素の数量，構成要素の形状，構成要素の大きさの比率，各構成要素の相対的な位置関係等に関し、図示の形態のみに限定されるものではない。
【００１３】
［第１の実施形態］
図１〜図１１は、本発明の第１の実施形態を説明する図である。このうち、図１〜図６は、本実施形態のレンズ鏡筒の構成を示す図である。図１は、本実施形態のレンズ鏡筒の外観の概略を示す外観斜視図である。図２は、図１のレンズ鏡筒の一部を拡大して示すと共に、回転枠移動阻止部材の要部を示す要部拡大斜視図である。図３は、図１のレンズ鏡筒における回転枠移動阻止部材のみを取り出して示す外観斜視図である。図４は、図１のレンズ鏡筒の光軸に沿う縦断面図である。
【００１４】
図５，図６は、図４の符号［５］で示す部分に相当する要部拡大断面図である。ここで、図５，図６においては、回転操作部材（回転枠；フォーカスリング）が第１の位置（ＡＦ位置）にある状態を示している。この状態において、図５は、回転枠移動阻止部材が移動許容位置にある状態を示している。一方、図６は、図５の状態から回転枠移動阻止部材が移動して移動阻止位置にある状態を示している。
【００１５】
図７は、本実施形態のレンズ鏡筒における回転枠移動阻止部材の変形例を示し、特に操作レバー近傍を示す断面図（図１の［７］−［７］線に沿う要部拡大断面図）である。
【００１６】
図８〜図１０は、本実施形態のレンズ鏡筒において、回転操作部材と回転枠移動阻止部材とが動作する際の作用を説明する概念図である。このうち、図８は、回転操作部材が第１の位置（ＡＦ位置）にあり、回転枠移動阻止部材が移動許容位置にある状態を示している。図９は、回転操作部材が第２の位置（ＭＦ位置）にあり、回転枠移動阻止部材が移動許容位置にある状態を示している。図１０は、回転操作部材が第１の位置（ＡＦ位置）にあり、回転枠移動阻止部材が移動阻止位置にある状態を示している。
【００１７】
図１１は、本実施形態のレンズ鏡筒の回転枠移動阻止部材におけるクリック機構についての別の変形例を示す概念図である。
【００１８】
図１，図４等に示すように、本実施形態のレンズ鏡筒１は、複数の外装部材（３，４）等によって全体として略筒形状に形成されている。レンズ鏡筒１の外面上には、複数の操作部材（５，２０，２１等）等が配設されている。レンズ鏡筒１の内部には（図示されていないが）複数の光学レンズ等からなる撮像光学系と、この撮像光学系の複数の光学レンズをそれぞれ保持する複数の保持部材等のほか、これら保持部材のうちの一部の可動部材を光軸Ｏに沿う方向へと進退移動させるための駆動機構及び駆動部材等や、さらに可動部材を光軸Ｏに沿う方向へと移動可能に支持する固定部材等のほか、上記複数の操作部材等からの入力を受けて所定の動作を行わしめる機構部若しくは電気的構成部材等を有して構成されている。なお、これらの内部構成部材については、図面の煩雑化を避けるために、図示を省略している。また、これらの内部構成部材は、従来一般的な構成のレンズ鏡筒において利用されているものが適用されているものとして、その詳細説明は省略する。
【００１９】
図示のように、レンズ鏡筒１の一端部（前端部）には、例えばフード筒２が着脱自在に配設されている。フード筒２は、当該レンズ鏡筒１の撮像光学系へと入射する被写体側からの光束のうち撮像に寄与しない不要光や撮像に悪影響を及ぼす虞のある有害光等を遮蔽するために用いるアクセサリ機器である。
【００２０】
一方、レンズ鏡筒１の他端部（後端部）には、例えばレンズマウントリング６が固設されている。レンズマウントリング６は、当該レンズ鏡筒１を対応する撮像装置（不図示）の前面の所定の取り付け位置に対して取り付けるためのレンズ鏡筒取付用金具である。撮像装置（不図示）側には、これに対応するように形成されたボディ側マウント部が設けられている。
【００２１】
本実施形態のレンズ鏡筒１における操作部材としては、フォーカスリング２０と、回転枠移動阻止部材（２１，２２，２３）と、ファンクションボタン５等がある。
【００２２】
フォーカスリング２０は、使用者（ユーザ）の手動による焦点調節操作を入力するための回転操作部材（回転枠）である。フォーカスリング２０は、当該レンズ鏡筒１における光軸Ｏ周りに回転自在に配設されている。これと同時に、フォーカスリング２０は、光軸Ｏに沿う方向において所定の範囲内において第１の位置と第２の位置との間で進退可能に構成されている。そのために、フォーカスリング２０は、略筒形状に形成され、当該レンズ鏡筒１の外周面上に配設されている。また、フォーカスリング２０には、光軸Ｏに沿う方向に移動した時、当該レンズ鏡筒１における固定部に当接する当接用端面２０ａ，２０ｂを有している。なお、本実施形態においては、前端側の当接用端面を符号２０ａで、後端側の当接用端面を符号２０ｂで示すものとする（図５等参照）。
【００２３】
上記フォーカスリング２０は、光軸Ｏ周りに回転操作することで手動焦点調節を行うための操作部材である。これと同時に、上記フォーカスリング２０は、光軸Ｏに沿う方向に移動させることによって、自動焦点調節（オートフォーカス；ＡＦ）モードと手動焦点調節（マニュアルフォーカス；ＭＦ）モードとを切り換えるための切り換え操作部材でもある。
【００２４】
ここで、本実施形態のレンズ鏡筒１においては、フォーカスリング２０を光軸Ｏに沿う方向における移動範囲内において前端寄りの第１の位置（図１,図４参照）に配置したときには、当該レンズ鏡筒１（を取り付けた撮像装置（不図示））は、自動焦点調節（オートフォーカス（ＡＦ）；以下、ＡＦと略記する）動作を実行し得る通常ＡＦモードに設定されるものとする。レンズ鏡筒１（撮像装置）が、上記通常ＡＦモードに設定されているとき、フォーカスリング２０は光軸Ｏ周りに自在に（いくらでも）回転し得る状態となっている。この通常ＡＦモードに設定されている時に、フォーカスリング２０を光軸Ｏ周りにいくら回転させても何の作用も生じない。
【００２５】
そして、この通常ＡＦモードに設定されている状態においては、例えば撮像装置側のシャッターレリーズボタンの半押し操作若しくはＡＦボタンの押圧操作等を行うとＡＦ制御動作が実行されるのが通常の作用である。
【００２６】
そして、この場合において、上記操作部材の操作（シャッターレリーズボタンの半押し操作若しくはＡＦボタンの押圧操作等）を維持したまま、フォーカスリング２０を手動にて回転操作しても、何の作用も生じないのが通常ＡＦモードである。
【００２７】
これに対し、同状態において、上記操作部材の操作を維持したまま、フォーカスリング２０を手動で回転操作すると、その回転量及び方向に応じた焦点調節動作を実行させ得る動作制御モードもある（例えばＡＦ＋ＭＦモード等と呼ばれる）。
【００２８】
一方、フォーカスリング２０を光軸Ｏに沿う方向における移動範囲内において後端寄りの第２の位置（不図示）に配置したときには、当該レンズ鏡筒１（を取り付けた撮像装置（不図示））は、手動焦点調節（マニュアルフォーカス（ＭＦ）；以下、ＭＦと略記する）動作を実行し得るＭＦモードに設定される。このＭＦモードにあるとき、フォーカスリング２０は、所定のクラッチ機構２４（図４参照）及び駆動力伝達機構等に連動して光軸Ｏ周りに所定の回転角度の範囲内のみで回動するように回動規制がなされる。
【００２９】
なお、図１，図４等においては、フォーカスリング２０が（前端寄りの通常ＡＦモード時の）第１の位置にある状態を示している。
【００３０】
回転枠移動阻止部材（２１，２２，２３）は、回転操作部材であり回転枠である上記フォーカスリング２０の光軸Ｏに沿う方向への移動を規制（阻止）するために設けられる構成部材である。この回転枠移動阻止部材は、カバーリング部材２１と、レバー部２２と、回転枠移動阻止リング２３（詳細構成は後述する）とを一体となるように構成されている。
【００３１】
上記カバーリング部材２１の外周面上には、使用者（ユーザ）の操作を補助するための凸状部であるレバー部２２が設けられている。カバーリング部材２１の内周側には、環状に形成された回転枠移動阻止リング２３が一体となるように配設されている。この構成により、カバーリング部材２１が回転操作されると、これと一体の回転枠移動阻止リング２３も同方向に回転する。これと同時に、カバーリング部材２１及び回転枠移動阻止リング２３は、光軸Ｏに沿う方向に所定量だけ移動するように構成されている。そのために、回転枠移動阻止リング２３は、複数のカム溝２３ａ，２３ｂ等を有して形成されている（図２，図３等参照）。なお、回転枠移動阻止部材の詳細構成については後述する。
【００３２】
ファンクションボタン５は、当該レンズ鏡筒１における設定を主なうための設定用操作部材である。このファンクションボタン５には、当該レンズ鏡筒１において設定し得る各種設定項目のうちから使用者（ユーザ）が所望する設定項目を択一的に割り当てることができるように構成されている。使用者（ユーザ）は、予め所定の操作を任意の時に行うことによって、設定可能な設定項目のうちから所望の設定項目を上記ファンクションボタン５に割り当てることができる。
【００３３】
固定枠としての外装部材（３、４）の内部には、例えば不図示の撮像光学系を覆う光軸方向前方に配置される固定枠としての一部である前方固定枠８と、前方固定枠８と連結固定され光軸方向中央に配置された別の固定枠としての中央固定枠９と、中央固定枠９と連結固定され光軸方向後方に配置された後方固定枠１０と、上記外装部材４の内側に固定され、中央固定枠９の外周に嵌合している固定枠７等が配設されている。ここで、中央固定枠９と固定枠７と外装部材４とは一体に組み立てられることによってレンズ固定部となっている。このレンズ固定部は、上記レンズマウントリング６を介して撮像装置（不図示）の前面の固定部（ボディ側マウント部）において固定される部位となる。
【００３４】
前方固定枠８と固定枠７との外周側には、フォーカスリング２０と回転枠移動阻止部材（２１，２２，２３）とが光軸Ｏ周りに回転自在となるように配設されている。また、フォーカスリング２０が第２の位置（ＭＦ位置）に配置された時のフォーカスリング２０の光軸Ｏ周りの回動を所定の範囲内に規制するためのクラッチ機構２４等も、上記前方固定枠８の外周側の領域であって上記フォーカスリング２０の近傍に配設されている。なお、上記クラッチ機構については、本発明とは直接に関係はないので、その詳細説明は省略する。
【００３５】
ここで、回転枠移動阻止リング２３は、上述したように、上記フォーカスリング２０の光軸Ｏに沿う方向の移動を規制（阻止）するために設けられる環状部材である。回転枠移動阻止リング２３は、使用者（ユーザ）の操作によってカバーリング部材２１が光軸Ｏ周りに回転するのに伴って同方向に回転するように構成されている。そして、回転枠移動阻止リング２３が回転するとき、同回転枠移動阻止リング２３は同時に光軸Ｏに沿う方向に所定量だけ移動するように構成されている。回転枠移動阻止リング２３における上述のような作用を実現するための構成を以下に詳述する。
【００３６】
回転枠移動阻止リング２３は、図２，図３等に示すように、複数のカム溝２３ａ，２３ｂ等を有し、全体として略円環形状に形成されている。回転枠移動阻止リング２３は、上記レンズ鏡筒１に組み付けられた状態では、光軸Ｏ周りに回転可能にかつ光軸Ｏに沿う方向に進退移動可能に配設されている。
【００３７】
上記複数のカム溝２３ａ，２３ｂのうちの一方のカム溝２３ａは、当該回転枠移動阻止リング２３を貫通して形成される貫通溝である。上記カム溝２３ａは、円周方向に延びる有限長の第１溝部２３ａａと、この第１溝部２３ａａに対し光軸Ｏ方向にずれた位置に第１溝部２３ａａと平行に円周方向に延びる有限長の第２溝部２３ａｂと、上記第１溝部２３ａａと上記第２溝部２３ａｂとを光軸Ｏに沿う方向に対して傾きを有する軸線（カム筋，カム軌跡）を有して連続して接続する接続溝部２３ａｄとによって構成されている（図３参照）。
【００３８】
ここで、本実施形態においては、第１溝部２３ａａは、回転枠移動阻止リング２３の光軸Ｏに沿う幅方向において前端寄りの領域に形成されている。また、第２溝部２３ａｂは、第１溝部２３ａａよりも後端寄りの領域に第１溝部２３ａａと平行に形成されている。
【００３９】
なお、ここで、第１溝部２３ａａは、当該回転枠移動阻止リング２３を移動許容位置に維持する機能を有する。第２溝部２３ａｂは、当該回転枠移動阻止リング２３を移動阻止位置に維持する機能を有する。接続溝部２３ａｄは、当該回転枠移動阻止リング２３を移動許容位置から移動阻止位置へ、またその逆方向へと移動させる機能を有する。
【００４０】
上記カム溝２３ａは、回転枠移動阻止リング２３の周面上において、周方向に略等間隔に複数（例えば本実施形態においては、回転角度１２０度間隔で三つ）設けられている。上記複数のカム溝２３ａには、固定枠７から外方に向けて径方向に突設される凸形状の凸部であるカムピン７ａがカム結合している（図２，図４，図５等参照）。ここで、カムピン７ａは、複数のカム溝２３ａに対応させて同数配設されている。したがって、カム溝２３ａとカムピン７ａとによって、回転枠移動阻止部材（２１，２３）の光軸Ｏに沿う方向への移動を実現するためのカム手段が構成されている。
【００４１】
このような構成により、回転枠移動阻止リング２３が光軸Ｏ周りに回転すると、カムピン７ａは相対的にカム溝２３ａに沿って移動する。このとき、カムピン７ａがカム溝２３ａの第１溝部２３ａａと第２溝部２３ａｂとの間を接続溝部２３ａｄを介して移動することによって、回転枠移動阻止リング２３は、光軸Ｏ周りに回転しながら光軸Ｏに沿う方向へと所定の距離だけ移動する。
【００４２】
例えば、フォーカスリング２０及び回転枠移動阻止部材（２１，２３）が、図５に示す位置にあるとき、回転枠移動阻止部材（２１，２３）が光軸Ｏ周りの所定の方向に回転すると、当該回転枠移動阻止部材（２１，２３）は、光軸Ｏ周りに回転しながら光軸Ｏに沿う方向であって前端側に向けて移動を始める。これにより、回転枠移動阻止部材（２１，２３）は、図６に示す位置まで移動する。
【００４３】
一方、図２等に示すように、上記複数のカム溝２３ａの各近傍であって周方向に隣接する各部位には、上記カム溝２３ａと略同形状のカム形状を有する複数の有底カム溝２３ｂが形成されている。この有底カム溝２３ｂは、回転枠移動阻止リング２３の内周面側に形成されている。この有底カム溝２３ｂも、上記カム溝２３ａと略同様に、回転枠移動阻止リング２３の内周面上において、周方向に略等間隔に複数（例えば本実施形態においては、回転角度１２０度間隔で三つ）設けられている。
【００４４】
上記複数の有底カム溝２３ｂには、固定枠７の外周面上に配設されたクリックボール７ｃが摺動自在に係合している。そして、当該有底カム溝２３ｂの第１溝部２３ｂａの端部と第２溝部２３ｂｂの端部とには、それぞれに上記クリックボール７ｃが嵌まり込み得る形状に形成されたクリック穴２３ｇが形成されている。このクリック穴２３ｇは、図３等に示すように回転枠移動阻止リング２３を貫通する貫通穴となっている。この場合において、クリック穴２３ｇの直径は、クリックボール７ｃの直径よりも小となるように設定されている。また、クリック穴２３ｇの直径は、有底カム溝２３ｂの溝幅よりも大となるように設定されている。これにより、クリックボール７ｃと有底カム溝２３ｂのクリック穴２３ｇとによってクリック機構が構成されている。
【００４５】
上記クリックボール７ｃは、固定枠７の外周面上において周方向に延設され直線状に形成された直線溝７ｂ内に一部が嵌合し、他の一部が直線溝７ｂよりも径方向外方に向けて突設した形態で、かつ周方向及び光軸に沿う方向に不動で径方向のみに移動可能に配置されている。そして、上記直線溝７ｂの内部には、径方向外方に向けて付勢力を有する板バネ７ｄが配設されている。この構成により、クリックボール７ｃは、上記板バネ７ｄの付勢力により径方向外方に向けて付勢されている。したがって、クリックボール７ｃは有底カム溝２３ｂに向けて常に付勢されている。なお、上記クリックボール７ｃ及び板バネ７ｄ，直線溝７ｂ等の構成部は、上記複数のカム溝２３ｂに対応させて同数配設されている。
【００４６】
こうして構成されたクリック機構においては、上記クリックボール７ｃが、上記有底カム溝２３ｂの二つのクリック穴２３ｇのいずれか一方に落ち込んだ時、回転枠移動阻止リング２３の光軸Ｏ周りの回転及び光軸Ｏに沿う方向への移動はクリック規制される。
【００４７】
このような構成により、回転枠移動阻止リング２３が光軸Ｏ周りに回転すると、クリックボール７ｃは有底カム溝２３ｂに沿って相対的に移動する。このとき、クリックボール７ｃが有底カム溝２３ｂの第１溝部２３ｂａと第２溝部２３ｂｂとの間を接続溝部２３ｂｄを介して移動することによって、回転枠移動阻止リング２３の光軸Ｏ周りの回転及び光軸Ｏに沿う方向への移動はスムーズになされる。同時に、回転枠移動阻止リング２３は、所定の二つの位置（カム溝２３ｂの各端部）であり、クリックボール７ｃが有底カム溝２３ｂの各端部のクリック穴２３ｇに嵌まり込む位置にて所定のクリック力により維持される。
【００４８】
このように構成された本実施形態のレンズ鏡筒１において、外装部材（３，４），固定枠７，前方固定枠８等の固定部材を第１の枠部材というものとする。また、回転操作部材であり回転枠であるフォーカスリング２０を第２の枠部材というものとする。
【００４９】
そして、上記第２の枠部材であるフォーカスリング２０は筒状に形成されている。また、フォーカスリング２０は、光軸Ｏに沿う方向に当接用端面２０ａ，２０ｂを有している。フォーカスリング２０は、上記第１の枠部材（固定部材）に対し光軸Ｏ周りに回動可能であり、かつ光軸Ｏに沿う方向に移動可能である。即ち、フォーカスリング２０は、光軸Ｏ上の第１の位置において光軸Ｏ周りに回転可能である。また、フォーカスリング２０は、上記第１の位置から光軸Ｏに沿う方向に移動した第２の位置でも光軸Ｏ周りに回転可能である。なお、第２の位置にあるときには、フォーカスリング２０の回転は、不図示の機構により所定の回転角度の範囲内に規制されている。
【００５０】
そして、フォーカスリング２０は、所定の位置（第１の位置）にある時に、移動阻止部材である回転枠移動阻止部材（２１，２３）によって、光軸Ｏに沿う方向の移動が許容されたり、また同方向の移動が阻止されたりすることができる。
【００５１】
上記回転枠移動阻止部材（２１，２３）は、上記フォーカスリング２０の当接用端面（２０ａ，２０ｂのうち後端側の当接用端面２０ｂ）に対向する面であって上記フォーカスリング２０（第２の枠部材）の光軸Ｏに沿う方向への移動を規制するための規制用端面２３ｄを有している。また、上記回転枠移動阻止部材（２１，２３）は、光軸Ｏ周りに回動可能である。
【００５２】
この場合において、上記回転枠移動阻止部材（２１，２３）は、回動に伴って上記当接用端面２０ｂから上記規制用端面２３ｄが離間してフォーカスリング２０（第２の枠部材）の第１の位置から第２の位置への移動を許容する光軸Ｏ上の移動許容位置と、回動に伴って上記当接用端面２０ｂと上記規制用端面２３ｄとが当接してフォーカスリング２０（第２の枠部材）の第１の位置から第２の位置への移動を阻止する光軸Ｏ上の移動阻止位置とに光軸Ｏに沿う方向において移動する。
【００５３】
そして、本実施形態のレンズ鏡筒１においては、上記回転枠移動阻止部材（２１，２３；移動阻止部材）に対する光軸Ｏ周りの回動操作によって、当該回転枠移動阻止部材（２１，２３；移動阻止部材）を移動許容位置と移動阻止位置とに移動させることが可能なカム手段を有している。このカム手段は、上記回転枠移動阻止部材（２１，２３）の複数のカム溝２３ａと、固定部材側のカムピン７ａとによって構成されている。
【００５４】
なお、上述した第１の実施形態のレンズ鏡筒１においては、カムピン７ａを固定枠７の外周面上に突設して構成した例を示したが、カムピン７ａの配置はこの例に限られることはなく、例えば、図７に示すような形態も考えられる。
【００５５】
図７に示す回転枠移動阻止部材の変形例では、上述の第１の実施形態において、固定枠７に設けたカムピン７ａに代えて、カバーリング部材２１に設けたレバー部２２の内面側に径方向内方に突設するカムピン２２ａを配置している。このカムピン２２ａを、上記回転枠移動阻止リング２３のカム溝２３ａにカム結合させることによって、上述の第１の実施形態と全く同様の作用を得ることのできるカム手段を構成できる。したがって、この構成によっても、回転枠移動阻止部材（２１，２３）を回転させると、同回転枠移動阻止部材（２１，２３）は光軸Ｏに沿う方向に移動させることができる。
【００５６】
なお、カム手段は、第１の枠部材であり固定部材である固定枠７に径方向に突出して設けられた凸形状の凸部であるカムピン７ａと、カムピン７ａと係合するために上記移動阻止部材（２１，２３）に設けられた溝部であって、上記移動阻止部材（２１，２３）を移動許容位置に維持させるために円周方向に沿って設けられた第１溝部２３ａａと、上記移動阻止部材（２１，２３）を移動阻止位置に維持させるために第１溝部２３ａａから連続して当該第１溝部２３ａａと平行に第１溝部２３ａａに対して光軸Ｏ方向にずれた位置に設けられた第２溝部２３ａｂとからなるカム溝２３ａとを有して構成される。
【００５７】
本実施形態においては、カム溝２３ａを回転枠移動阻止部材（２１，２３）側に設け、カムピン７ａを固定部材（固定枠７）側に設けた構成を例示しているが、この形態例に限られることはない。例えば、上記例示の形態とは別の形態として、カム溝を固定部材（固定枠）側に設け、カムピンを回転枠移動阻止部材側に設けるように構成してもよい。
【００５８】
次に、本実施形態のレンズ鏡筒１におけるフォーカスリング２０と回転枠移動阻止部材（２１，２３）の作用を、主に図８〜図１０の概念図を用いて以下に説明する。
【００５９】
まず、図８〜図１０においては、本実施形態のレンズ鏡筒１における構成部材のうち、第１の枠部材として固定部材である外装部材３を、第２の枠部材としてフォーカスリング２０を、移動阻止部材として回転枠移動阻止リング２３を、それぞれ示している。
【００６０】
図８に示す状態は、固定された外装部材３（第１の枠部材）に対し、フォーカスリング２０（第２の枠部材）が第１の位置（ＡＦ位置）にあり、回転枠移動阻止リング２３（移動阻止部材）がフォーカスリング２０を光軸に沿う方向に移動させること、即ちフォーカスリング２０を第1の位置と第２の位置とに移動させることが可能な移動許容位置にある状態を示している。なお、フォーカスリング２０は、光軸Ｏ周り（図８の矢印Ｒ方向）に正逆回動可能である。
【００６１】
この状態においては、フォーカスリング２０の前端側の当接用端面２０ａは、外装部材３に当接することで、これ以上、光軸Ｏに沿う方向において図８の矢印Ｏ１方向に移動し得ない状態にある。また、このとき、フォーカスリング２０の当接用端面２０ｂと回転枠移動阻止リング２３の規制用端面２３ｄとは離間した状態にある。このとき、フォーカスリング２０（第２の枠部材）は、図８に示す第１の位置から光軸Ｏに沿う方向であって図８の矢印Ｏ２方向に向けた第２の位置への移動が許容されている。したがって、このときの回転枠移動阻止リング２３の位置を移動許容位置という。
【００６２】
回転枠移動阻止リング２３が移動許容位置にあるとき、図８に示すように、回転枠移動阻止リング２３は、カム手段（溝２３ａ，ピン７ａ）によってその位置に位置決めされている。つまり、このときカムピン７ａはカム溝２３ａの第１溝部２３ａａにある。また、回転枠移動阻止リング２３は、クリック機構（溝２３ｇ，ボール７ｃ，バネ７ｄ）によって、その位置が維持されている。なお、図８において矢印Ｆは、上記クリック機構における板バネ７ｄによるクリックボール７ｃの付勢方向を示している。
【００６３】
図８に示す状態からフォーカスリング２０が、光軸Ｏに沿う方向において、図８の矢印Ｏ２方向に移動操作されると、図９に示す状態になる。
【００６４】
図９に示す状態は、固定された外装部材３（第１の枠部材）に対し、フォーカスリング２０（第２の枠部材）が第２の位置（ＭＦ位置）にあり、回転枠移動阻止リング２３（移動阻止部材）が移動許容位置にある状態を示している。
【００６５】
この状態においては、フォーカスリング２０の後端側の当接用端面２０ｂが、回転枠移動阻止リング２３に当接し、これ以上、光軸Ｏに沿う方向において図９の矢印Ｏ２方向に移動し得ない状態にある。一方、この状態においては、フォーカスリング２０は、第２の位置から第１の位置への移動（矢印Ｏ１方向）が許容されている状態にある。したがって、使用者（ユーザ）が意図しないときに不用意にフォーカスリング２０が第２の位置から第１の位置へと移動（矢印Ｏ１方向）して設定が切り換えられてしまう可能性がある。
【００６６】
しかしながら、フォーカスリング２０が使用者（ユーザ）の意図する設定操作によって第２の位置に設定されているとき、使用者（ユーザ）はＭＦモードでの使用を意識している。通常の場合、ＭＦモードは、焦点調節操作における使用者（ユーザ）の操作を強いる動作モードである。したがって、使用者（ユーザ）が意図してＭＦモードに設定している場合において、使用者（ユーザ）の知らない間に意図せずに、フォーカスリング２０が第２の位置から第１の位置へと移動してしまい、ＡＦモードに切り換わったとしても、使用者（ユーザ）はそのことにすぐに気が附くはずである。したがって、本実施形態においては、フォーカスリング２０の第２の位置から第１の位置への移動については、特に規制を設けていない（このことについて考慮した構成については、後述する第２の実施形態を参照のこと）。
【００６７】
一方、図８に示す状態から回転枠移動阻止リング２３が、図８の矢印Ｒ１方向に回転操作されると、図１０に示す状態になる。
【００６８】
図１０に示す状態は、固定された外装部材３（第１の枠部材）に対し、フォーカスリング２０（第２の枠部材）が第１の位置（ＡＦ位置）にあり、回転枠移動阻止リング２３（移動阻止部材）が移動阻止位置にある状態を示している。
【００６９】
この図１０に示す状態においては、フォーカスリング２０は、図８に示す状態と全く同様に、第１の位置（ＡＦ位置）にあって図１０の矢印Ｏ１方向には移動し得ない状態にある。
【００７０】
また、上記図８から図１０へと変位するとき、回転枠移動阻止リング２３は、上記矢印Ｒ１方向への回転操作によって、光軸Ｏに沿う方向であって図１０の矢印Ｏ１方向に移動することによって、フォーカスリング２０の当接用端面２０ｂと回転枠移動阻止リング２３の規制用端面２３ｄとが当接する。これにより、回転枠移動阻止リング２３は、フォーカスリング２０（第２の枠部材）の第１の位置から第２の位置への移動（矢印Ｏ２方向）を阻止している。したがって、このときの回転枠移動阻止リング２３の位置を移動阻止位置という。
【００７１】
回転枠移動阻止リング２３が移動阻止位置にあるとき、図１０に示すように、回転枠移動阻止リング２３は、カム手段（溝２３ａ，ピン７ａ）によってその位置に位置決めされている。つまり、このときカムピン７ａはカム溝２３ａの第２溝部２３ａｂにある。また、回転枠移動阻止リング２３は、クリック機構（溝２３ｇ，ボール７ｃ，バネ７ｄ）によって、その位置が維持されている。
【００７２】
このように、フォーカスリング２０が第１の位置（ＡＦ位置）にあるときに、回転枠移動阻止リング２３を移動阻止位置に移動させることにより、フォーカスリング２０の第１の位置から第２の位置への移動を阻止する状態を実現できる。
【００７３】
通常の場合、一般的な使用者（ユーザ）は、ＡＦモードでの使用が主体となる。この場合において、使用者（ユーザ）は、ＡＦモードによる自動的な作用を期待しているのであるが、もし仮に、装置の運搬時等に意図に反して不用意なモード切換が行われてしまった結果、使用者（ユーザ）の意図していないＭＦモードとなっていたとする。この状態で使用者（ユーザ）が使用を開始したとしても、装置は使用者（ユーザ）の意図に反して自動的な作用が行われない。ＭＦモードでの動作は、焦点調節操作における使用者（ユーザ）の操作を強いる動作モードだからである。
【００７４】
したがって、使用者（ユーザ）がＡＦモードの設定をしている場合において、使用者（ユーザ）の知らない間に意図せずに、フォーカスリング２０が第１の位置から第２の位置へと移動してしまうことに起因してＭＦモードに切り換わってしまうと、使用者（ユーザ）は、そのことにすぐには気が附かず、装置を使用できない状態が長く続いてしまうような事態になる可能性がある。
【００７５】
そこで、本実施形態のレンズ鏡筒１においては、フォーカスリング２０が第１の位置（ＡＦ位置）にあるときには、回転枠移動阻止部材（２１，２３）を回転操作するのみで移動阻止位置に配置することができ、よってフォーカスリング２０の第１の位置から第２の位置への移動しを阻止し、所望のＡＦモードから意図しないＭＦモードへの切り換えを阻止することができる。
【００７６】
また、移動阻止位置にある回転枠移動阻止部材（２１，２３）は簡単な回転操作によって、移動許容位置へと移動させることができるので、ＭＦモードへの切り換えを所望する時には、容易に切り換え操作可能な状態へと切り換えることができる。
【００７７】
以上説明したように上記第１の実施形態によれば、フォーカスリング２０の第１の位置から第２の位置への移動を阻止する回転枠移動阻止部材（２１，２３）を設けるのみの簡単な構成によって、フォーカスリング２０の光軸Ｏ方向への移動によって動作モードの切り換えを行ない得るレンズ鏡筒において、使用者（ユーザ）の意図しない切り換え操作を阻止し、所望の動作モードを維持することができる。
【００７８】
なお、上述の第１の実施形態のレンズ鏡筒において、回転枠移動阻止リング２３のクリック機構については、さらに別の形態も考えられる、例えば、図１１に示す変形例では、カムピン７ａ及びカム溝２３ａからなるカム手段の近傍において、光軸Ｏに沿う方向に隣接する部位に、上記カム溝２３ａと略同形状のカム形状を有する有底カム溝２３Ａｂを形成した形態を示している。このような構成としても、上述の第１の実施形態と全く同様の作用及び効果を得ることができる。
【００７９】
［第２の実施形態］
次に、本発明の第２の実施形態について、以下に説明する。本実施形態の構成は、基本的には、上述の第１の実施形態と略同様である。即ち、上述の第１の実施形態においては、固定された第１の枠部材（固定部材）に対して光軸周りに回転可能にかつ光軸に沿う方向に移動可能に構成された第２の枠部材（フォーカスリング）の光軸方向への移動を許容し若しくは阻止する回転枠移動阻止部材を設けて構成している。そして、上述の第１の実施形態における上記回転枠移動阻止部材は、第２の枠部材（フォーカスリング）が第１の位置（ＡＦモードに設定した位置）にあるときに、当該第２の枠部材（フォーカスリング）の光軸方向の移動を許容する移動許容位置と、同方向の移動を阻止する移動阻止位置とに、光軸方向に移動可能に構成している。
【００８０】
このような上記第１の実施形態の構成に対し、本実施形態においては、回転枠移動阻止部材は、第２の枠部材（フォーカスリング）が第１の位置（ＡＦ位置）にあるときのみではなく、第２の位置（ＭＦ位置）にあるときにも、上記移動許容位置と上記移動阻止位置とに光軸方向に移動可能に構成した点が異なる。したがって、上述の第１の実施形態と同様の構成部材については、同じ符号を付してその詳細説明を省略し、異なる構成についてのみ、以下に詳述する。
【００８１】
図１２〜図２３は、本発明の第２の実施形態を説明する図である。このうち、図１２〜図１５は、本実施形態のレンズ鏡筒の構成を示す図である。図１２は、本実施形態のレンズ鏡筒の外観の概略を示す外観斜視図である。図１３は、図１のレンズ鏡筒の光軸に沿う縦断面図である。図１４は、図１２のレンズ鏡筒における回転枠移動阻止部材のみを取り出して示す外観斜視図である。図１５は、図１４の回転枠移動阻止部材を分解して示す分解斜視図である。
【００８２】
図１６〜図２３は、本実施形態のレンズ鏡筒において、回転操作部材と回転枠移動阻止部材とが動作する際の作用を説明する図である。このうち図１６〜図１９は、図１３の符号［１６］で示す部分に相当する要部拡大断面図である。また、図２０〜図２３は、作用を説明するための概念図である。
【００８３】
図１２，図１３等に示すように、本実施形態のレンズ鏡筒１Ａの基本的な構成は、上述の第１の実施形態（図１，図４参照）と略同様である。即ち、外装部材等によって全体が略筒形状に形成されており、外面上には複数の操作部材（５，２０，２１等）等が設けられ、内部には複数の光学レンズ等からなる撮像光学系，複数の保持部材，可動部材を光軸方向に移動させる駆動機構及び駆動部材のほか、可動部材を光軸方向へと移動可能に支持する固定部材，上記複数の操作部材等からの入力を受けて所定の動作を行わしめる機構部若しくは電気的構成部材等を有して構成されている。
【００８４】
本実施形態のレンズ鏡筒１Ａにおける操作部材のうちフォーカスリング２０と、回転枠移動阻止部材３０等がある。
【００８５】
フォーカスリング２０は、上記第１の実施形態に適用したものと略同様に、当該レンズ鏡筒１Ａにおける光軸Ｏ周りに回転自在に配設されていると共に、光軸Ｏに沿う方向において所定の範囲内において第１の位置と第２の位置との間で進退可能に構成されている。
【００８６】
ここで、本実施形態においても、フォーカスリング２０を光軸Ｏに沿う方向における移動範囲内において前端寄りの第１の位置に配置したとき、当該レンズ鏡筒１Ａ（を取り付けた撮像装置（不図示））は、ＡＦ動作を実行し得る通常ＡＦモードに設定される。また、フォーカスリング２０を光軸Ｏに沿う方向における移動範囲内において後端寄りの第２の位置に配置したときには、当該レンズ鏡筒１Ａ（を取り付けた撮像装置（不図示））は、ＭＦ動作を実行し得るＭＦモードに設定される。このＭＦモードにあるとき、フォーカスリング２０は、所定のクラッチ機構２４及び駆動力伝達機構等に連動して光軸Ｏ周りに所定の回転角度の範囲内のみで回動するように不図示の機構により回動規制がなされる。
【００８７】
本実施形態における回転枠移動阻止部材３０は、回転操作部材であり回転枠である上記フォーカスリング２０の光軸Ｏに沿う方向への移動を許容し若しくは阻止するために設けられる構成部材である。上述の第１の実施形態における回転枠移動阻止部材（２１，２３；図３等参照）は、フォーカスリング２０が第１の位置（ＡＦ位置）にあるときにのみ、回転枠移動阻止リング２３が移動許容位置と移動阻止位置とに移動し得るように構成し、回転枠移動阻止リング２３を移動阻止位置に配置することによって、フォーカスリング２０の第１の位置から第２の位置（ＭＦ位置）への移動を阻止するようにしている。
【００８８】
これに対し、本実施形態における回転枠移動阻止部材３０は、フォーカスリング２０の位置に関わらずフォーカスリング２０の移動を許容し若しくは阻止することができるように構成している。そのために、本実施形態における回転枠移動阻止部材３０は、上記第１の実施形態における回転枠移動阻止部材に対して、その構成は若干異なる。以下に、回転枠移動阻止部材３０の構成を詳述する。
【００８９】
本実施形態における回転枠移動阻止部材３０の基本的な構成は、上述の第１の実施形態と略同様である。即ち、回転枠移動阻止部材３０は、カバーリング部材と、回転枠移動阻止リングとを有し、両者が一体となるように形成されて構成されている点においては、上述の第１の実施形態と略同様である。これに対し、本実施形態における回転枠移動阻止部材３０は、図１４，図１５に示すように、カバーリング部材（２１Ａ，２１Ｂ）と、回転枠移動阻止リング（３３，３４）とをそれぞれ複数有し、上記複数の回転枠移動阻止リング（３３，３４）は、複数の連結部材２５によって連結することにより一体となるように構成されている点が異なる。
【００９０】
第１回転枠移動阻止リング３３と第２回転枠移動阻止リング３４とは、フォーカスリング２０を光軸に沿う方向において挟むようにして、各所定の部位に配置されている。
【００９１】
上記複数の回転枠移動阻止リング（３３，３４）のうちの一方の第１回転枠移動阻止リング３３（第１の移動阻止部材）は、環状部材であって、光軸Ｏに沿う方向においてフォーカスリング２０の後端寄りの部位に配置されている。この第１回転枠移動阻止リング３３は、上述の第１の実施形態における移動阻止部材（における回転枠移動阻止リング２３）に相当する。第１回転枠移動阻止リング３３は、光軸Ｏ周りに回転可能であると共に、光軸Ｏに沿う方向に移動可能である。なお、当該第１回転枠移動阻止リング３３は、フォーカスリング２０（第２の枠部材）の当接用端面２０ｂに対向する面であって、フォーカスリング２０の光軸Ｏに沿う方向への移動を規制するための規制用端面２３ｄを有している。また、第１回転枠移動阻止リング３３の外周側には、カバーリング部材２１Ａが一体に配設されている。
【００９２】
ここで、上記第１回転枠移動阻止リング３３は、上述の第１の実施形態における回転枠移動阻止リング２３と同様に、フォーカスリング２０が第１の位置にあるときに移動許容位置と移動阻止位置とに移動し得るように構成されている。これにより、第１回転枠移動阻止リング３３は、主に、フォーカスリング２０の第１の位置から第２の位置への移動を阻止する役目をする。
【００９３】
また、上記複数の回転枠移動阻止リング（３３，３４）のうちの他方の第２回転枠移動阻止リング３４（第２の移動阻止部材）は、環状部材であって、光軸Ｏに沿う方向においてフォーカスリング２０の前端寄りの部位に配置されている。第２回転枠移動阻止リング３４も、光軸Ｏ周りに回転可能であると共に、光軸Ｏに沿う方向に移動可能である。なお、当該第２回転枠移動阻止リング３４は、フォーカスリング２０（第２の枠部材）の当接用端面２０ａに対向する面であって、フォーカスリング２０の光軸Ｏに沿う方向への移動を規制するための規制用端面３４ｄを有している。また、当該第２回転枠移動阻止リング３４の外周側には、カバーリング部材２１Ｂが一体に配設されている。
【００９４】
この場合において、上記第２回転枠移動阻止リング３４は、上述したように、複数の連結部材２５によって上記第１回転枠移動阻止リング３３と連結されている。つまり、上記複数の連結部材２５は、光軸Ｏに沿う方向に延び、一端が第１回転枠移動阻止リング３３（移動阻止部材）に、他端が第２回転枠移動阻止リング３４（第２の移動阻止部材）にそれぞれ固定され、両リング３３，３４を連結している。
【００９５】
したがって、上記複数の連結部材２５は、上記第１回転枠移動阻止リング３３（移動阻止部材）の回動に伴って第２回転枠移動阻止リング３４（第２の移動阻止部材）を光軸方向に連動させて移動させることを可能としている。これにより、第２回転枠移動阻止リング３４は、第１回転枠移動阻止リング３３の光軸Ｏに沿う方向への移動に従動して光軸Ｏ方向に移動するように構成されている。
【００９６】
そして、第２回転枠移動阻止リング３４は、フォーカスリング２０が第２の位置にあるときに移動許容位置と移動阻止位置とに移動し得るように構成されている。これにより、第２回転枠移動阻止リング３４は、主にフォーカスリング２０の第２の位置から第１の位置への移動を阻止する役目をする。つまり、第２の移動阻止部材である第２回転枠移動阻止リング３４において、フォーカスリング２０（第２の枠部材）の第２の位置から第１の位置への移動を許容する光軸Ｏ上の位置を第２の移動許容位置というものとする。また、第２回転枠移動阻止リング３４において、フォーカスリング２０（第２の枠部材）の第２の位置から第１の位置への移動を阻止する光軸Ｏ上の位置を第２の移動阻止位置というものとする。
【００９７】
そして、第１回転枠移動阻止リング３３が回転すると、複数の連結部材２５を介して連結され一体に形成されている第２回転枠移動阻止リング３４も同方向に回転する。これと同時に、両回転枠移動阻止リング３３，３４は、光軸Ｏに沿う一方向に所定量だけ共に移動する。そのための構成は、上述の第１の実施形態の構成と略同様にカム手段による。
【００９８】
即ち、本実施形態において、第１回転枠移動阻止リング３３は、複数のカム溝３３ａ，３３ｂを有し、全体として略円環形状に形成されている（図１４，図１５参照）。第１回転枠移動阻止リング３３は、上記レンズ鏡筒１Ａに組み付けられた状態では、光軸Ｏ周りに回転可能にかつ光軸Ｏに沿う方向に進退移動可能に配設されている。
【００９９】
上記複数のカム溝３３ａ，３３ｂのうちの一方のカム溝３３ａは、当該第１回転枠移動阻止リング３３を貫通して形成される貫通溝である。カム溝３３ａは、円周方向に延びる有限長の第１溝部３３ａａと、この第１溝部３３ａａに対し光軸Ｏ方向にずれた位置に第１溝部３３ａａと平行に円周方向に延びる有限長の第２溝部３３ａｂと、上記第１溝部３３ａａに対し光軸Ｏ方向にずれた位置であって上記第２溝部３３ａｂの配置されている側とは光軸方向に第１溝部３３ａａを挟んで反対側の位置に上記第１，第２溝部３３ａａ，３３ａｂと平行に円周方向に延びる有限長の第３溝部３３ａｃと、上記第１溝部３３ａａと上記第２溝部３３ａｂとを光軸Ｏに沿う方向に対して傾きを有する軸線を有して連続して接続する第１接続溝部３３ａｄと、上記第１溝部３３ａａと上記第３溝部３３ａｃとを光軸Ｏに沿う方向に対して傾きを有し上記第１接続溝部３３ａｄに平行な軸線を有して連続して接続する第２接続溝部３３ａｅとによって構成されている（図１５参照）。なお、本願説明において、「光軸Ｏ方向」と「光軸に沿う方向」とは同一の意味である。
【０１００】
ここで、本実施形態においては、第１溝部３３ａａは、光軸方向において第２溝部３３ａｂと第３溝部３３ａｃとの間の領域に形成されている。また、第２溝部３３ａｂは、回転枠移動阻止リング２３の光軸Ｏに沿う幅方向において第１溝部３３ａａよりも後端寄りの領域に形成されている。そして、第３溝部３３ａｃは、回転枠移動阻止リング２３の光軸Ｏに沿う幅方向において第１溝部３３ａａよりも前端寄りの領域に形成されている。
【０１０１】
なお、第１溝部３３ａａは、両回転枠移動阻止リング３３，３４を各所定の移動許容位置に維持する機能を有する。つまり、第１溝部３３ａａは、第１の実施形態における第１溝部２３ａａに相当する。第２溝部３３ａｂは、第１回転枠移動阻止リング３３を移動阻止位置（第１の移動阻止位置）に維持する機能を有する。つまり、第２溝部３３ａｂは、第１の実施形態における第２溝部２３ａｂに相当する。第３溝部３３ａｃは、第２回転枠移動阻止リング３４を第２の移動阻止位置に維持する機能を有する。第１接続溝部３３ａｄは、第１回転枠移動阻止リング３３を移動許容位置から移動阻止位置へと移動させる機能を有する。第２接続溝部３３ａｅは、第２回転枠移動阻止リング３４を第２の移動許容位置から第２の移動阻止位置へと移動させる機能を有する。
【０１０２】
換言すると、上記カム溝３３ａは、凸部であるカムピン７ａと係合するために第１回転枠移動阻止リング３３（移動阻止部材）に設けられた溝部である。当該カム溝３３ａは、第１回転枠移動阻止リング３３（移動阻止部材）を移動許容位置に維持させるために円周方向に沿って設けられた第１溝部３３ａａと、第１回転枠移動阻止リング３３（移動阻止部材）を移動阻止位置に維持させるために第１溝部３３ａと平行に第１溝部３３ａａに対し光軸Ｏ方向にずれた位置に円周方向に設けられた第２溝部３３ａｂと、第２回転枠移動阻止リング３４（第２の移動阻止部材）を第２の移動規制位置に維持させるために第１溝部３３ａａに対し光軸Ｏ方向にずれた位置であって第２溝部３３ａｂと共に第１溝部３３ａａを挟むように第１溝部３３ａａから連続して配置され円周方向に沿って設けられた第３溝部３３ａｃとからなる。
【０１０３】
上記カム溝３３ａは、回転枠移動阻止リング３３の周面上において、周方向に略等間隔に複数（例えば本実施形態においては、回転角度１２０度間隔で三つ）設けられている。上記複数のカム溝３３ａには、固定枠７から外方に向けて径方向に突設される凸形状のカムピン７ａがカム結合している（図１３，図１６〜図１９等参照）。ここで、カムピン７ａの構成は、上述の第１の実施形態と同様である。したがって、本実施形態においては、カム溝３３ａとカムピン７ａとによって回転枠移動阻止部材３０（第１回転枠移動阻止リング３３）の光軸Ｏに沿う方向への移動を実現するためのカム手段が構成されている。そして、このカム手段は、第１回転枠移動阻止リング３３に対する光軸Ｏ周りの回動操作により、第１回転枠移動阻止リング３３を移動許容位置と移動阻止位置とに移動させることが可能であり、さらに、同様の回動操作（第１回転枠移動阻止リング３３に対する光軸Ｏ周りの回動操作）により、第２回転枠移動阻止リング３４（第２の移動阻止部材）を第２の移動許容位置と第２の移動阻止位置とに移動させることが可能である。
【０１０４】
このような構成により、回転枠移動阻止部材３０が光軸Ｏ周りに回転すると、カムピン７ａは相対的にカム溝３３ａに沿って移動する。このとき、カムピン７ａがカム溝３３ａの第１溝部３３ａａと第２溝部３３ａｂと第３溝部３３ａｃの間を第１，第２接続溝部３３ａｄ，３３ａｅを介して移動することによって、回転枠移動阻止部材３０は、光軸Ｏ周りに回転しながら光軸Ｏに沿う方向へと所定の距離だけ移動する。
【０１０５】
例えば、図１６に示す状態は、フォーカスリング２０は第１の位置にあり、回転枠移動阻止部材３０は移動許容位置にある状態を示している。このとき、回転枠移動阻止部材３０が光軸Ｏ周りの所定の一方向に回転して、当該回転枠移動阻止部材３０が光軸Ｏ周りに回転しながら光軸Ｏに沿う方向であって前端側に向けて移動を始めるとする。すると、これにより、回転枠移動阻止部材３０は、図１９に示す位置まで移動する。この状態になると、回転枠移動阻止部材３０は、第１回転枠移動阻止リング３３によってフォーカスリング２０の第１の位置から第２の位置への移動を阻止する。
【０１０６】
なお、図１６に示す状態（フォーカスリング２０は第１の位置，回転枠移動阻止部材３０は移動許容位置）にあるときには、回転枠移動阻止部材３０はフォーカスリング２０によって後端側へ向けての移動は行ない得ない。
【０１０７】
一方、図１７に示す状態は、フォーカスリング２０は第２の位置にあり、回転枠移動阻止部材３０は移動許容位置にある状態を示している。このとき、回転枠移動阻止部材３０が光軸Ｏ周りの上記一方向とは反対の他方向に回転すると、当該回転枠移動阻止部材３０は光軸Ｏ周りに回転しながら光軸Ｏに沿う方向であって、レンズ鏡筒の後端側に向けて移動を始める。すると、これにより、回転枠移動阻止部材３０は、図１８に示す位置まで移動する。この状態になると、回転枠移動阻止部材３０は、第２回転枠移動阻止リング３４によってフォーカスリング２０の第２の位置から第１の位置への移動を阻止する。
【０１０８】
なお、図１７に示す状態（フォーカスリング２０は第２の位置，回転枠移動阻止部材３０は移動許容位置）にあるときには、回転枠移動阻止部材３０はフォーカスリング２０によって前端側へ向けての移動は行ない得ない。
【０１０９】
なお、図１４，図１５等に示すように、上記複数のカム溝３３ａの各近傍であって周方向に隣接する各部位には、上記カム溝３３ａと略同形状のカム形状を有する複数の有底カム溝３３ｂが形成されている。この有底カム溝３３ｂの構成は、上述の第１の実施形態と略同様である。即ち、上記複数の有底カム溝３３ｂと、固定枠７の外周面上に配設されたクリックボール７ｃ（図１３等参照）とによって構成されるクリック機構は、上述の第１の実施形態と略同様に構成されている。なお、本実施形態において、上記クリック機構のクリック位置に相当するクリック穴３３ｇは、移動許容位置と二つの移動阻止位置との合計三つ設けられている。
【０１１０】
なお、本実施形態においては、図１４，図１５に示すように、上記第１の実施形態におけるレバー部２２（図１等参照）を省略した形態を示しているが、本実施形態においても同様のレバー部２２を、例えばカバーリング部材２１Ａの外周面上に設けるようにしてもよい。
【０１１１】
このような構成により、本実施形態のレンズ鏡筒１Ａにおいても、外装部材（４），固定枠７，前方固定枠８等の固定部材を第１の枠部材というものとする。また、回転操作部材であり回転枠であるフォーカスリング２０を第２の枠部材というものとする。
【０１１２】
また、回転枠移動阻止部材３０は、フォーカスリング２０（第２の枠部材）の第１の位置から第２の位置への移動を許容する移動許容位置と、フォーカスリング２０（第２の枠部材）の第１の位置から第２の位置への移動を阻止する移動阻止位置とに光軸Ｏ方向に移動する第１の移動阻止部材である第１回転枠移動阻止リング３３と、光軸Ｏ周りに回動可能で、上記第１回転枠移動阻止リング３３の回動に連動して回動し、光軸Ｏ方向に移動し、フォーカスリング２０（第２の枠部材）の第２の位置から第１の位置への移動を許容する第２の移動許容位置と、フォーカスリング２０（第２の枠部材）の第２の位置から第１の位置への移動を阻止する第２の移動阻止位置とに移動する第２の移動阻止部材である第２回転枠移動阻止リング３４と、第１回転枠移動阻止リング３３の回動に伴って第２回転枠移動阻止リング３４を光軸Ｏ方向に連動させて移動させることを可能とする複数の連結部材２５とを具備する。
【０１１３】
そして、カム手段は、カムピン７ａと、カムピン７ａと係合するために上記第１回転枠移動阻止リング３３に設けられた溝部であって、両回転枠移動阻止リング３３，３４を移動許容位置に維持させる第１溝部３３ａａと、第１回転枠移動阻止リング３３を移動阻止位置（第１の移動阻止位置）に維持させる第２溝部３３ａｂと、第２回転枠移動阻止リング３４を第２の移動阻止位置に維持させる第３溝部３３ａｃとからなるカム溝３３ａとを有して構成される。
【０１１４】
つまり、本実施形態において、カム手段は、回転枠移動阻止部材３０に対する光軸周りの回動操作により、第１回転枠移動阻止リング３３（第１の移動阻止部材）を移動許容位置と移動阻止位置とに移動させる機能に加えて、第２回転枠移動阻止リング３４（第２の移動阻止部材）を第２の移動許容位置と第２の移動阻止位置とに移動させる機能を、さらに有している。その他の構成は、上述の第１の実施形態と略同様である。
【０１１５】
このように構成された本実施形態のレンズ鏡筒１Ａにおけるフォーカスリング２０と回転枠移動阻止部材３０（第１回転枠移動阻止リング３３，第２回転枠移動阻止リング３４）の作用を、図１６〜図１９の要部拡大断面図、及び図２０〜図２３の概念図を用いて以下に説明する。
【０１１６】
図１６は、フォーカスリング２０が第１の位置（ＡＦ位置）にあり、回転枠移動阻止部材３０における第１回転枠移動阻止リング３３が移動許容位置にある状態を示している。この図１６に示す状態を概念的に示したのが図２０である。この状態にあるとき、フォーカスリング２０は、光軸Ｏに沿う方向において図示の第１の位置から第２の位置への移動が許容されており、同方向に移動可能な状態である。
【０１１７】
図１７は、フォーカスリング２０が第２の位置（ＭＦ位置）にあり、回転枠移動阻止部材３０における第２回転枠移動阻止リング３４が第２の移動許容位置にある状態を示している。この図１７に示す状態を概念的に示したのが図２１である。この状態にあるとき、フォーカスリング２０は、光軸Ｏに沿う方向において図示の第２の位置から第１の位置への移動が許容されており、同方向に移動可能である。
【０１１８】
このように、図１６（図２０），図１７（図２１）の状態にあるとき、回転枠移動阻止部材３０の両回転枠移動阻止リング３３，３４は、カム手段（溝３３ａ，ピン７ａ）によってその位置に位置決めされている。このときカムピン７ａはカム溝３３ａの第１溝部３３ａａにある。また、第１回転枠移動阻止リング３３は、クリック機構（穴３３ｇ，ボール７ｃ，バネ７ｄ）によって、その位置が維持されている。
【０１１９】
図１７に示す状態にあるときに、回転枠移動阻止部材３０が一方向に回転操作されると、回転枠移動阻止部材３０は、光軸Ｏ周りに回転するのに伴って、光軸Ｏ方向において後端側に移動して図１８に示す状態になる。このとき、カムピン７ａは、カム溝３３ａの第１溝部３３ａａから第２接続溝部３３ａｅを介して第３溝部３３ａｃへと相対的に移動する。なお、フォーカスリング２０に対しては操作を加えていないので、第２の位置に留まったままである。
【０１２０】
図１８は、フォーカスリング２０が第２の位置（ＭＦ位置）にあり、回転枠移動阻止部材３０における第２回転枠移動阻止リング３４が第２の移動阻止位置にある状態を示している。この図１８に示す状態を概念的に示したのが図２２である。この状態にあるとき、フォーカスリング２０は、光軸Ｏに沿う方向において第２回転枠移動阻止リング３４によって図示の第２の位置から第１の位置への移動が阻止されており、同方向への移動ができない状態となる。
【０１２１】
一方、図１６に示す状態にあるときに、回転枠移動阻止部材３０が上記一方向と反対方向である他方向に回転操作されると、回転枠移動阻止部材３０は、光軸Ｏ周りに回転するのに伴って、光軸Ｏ方向において前端側に移動して図１９に示す状態になる。このとき、カムピン７ａは、カム溝３３ａの第１溝部３３ａａから第１接続溝部３３ａｄを介して第２溝部３３ａｂへと相対的に移動する。なお、フォーカスリング２０に対しては操作を加えていないので、第１の位置に留まったままである。
【０１２２】
図１９は、フォーカスリング２０が第１の位置（ＡＦ位置）にあり、回転枠移動阻止部材３０における第１回転枠移動阻止リング３３が移動阻止位置にある状態を示している。この図１９に示す状態を概念的に示したのが図２３である。この状態にあるとき、フォーカスリング２０は、光軸Ｏに沿う方向において第１回転枠移動阻止リング３３によって図示の第１の位置から第２の位置への移動が阻止されており、同方向への移動ができない状態となる。
【０１２３】
以上説明したように上記第２の実施形態によれば、回転枠移動阻止部材３０は、フォーカスリング２０の第１の位置から第２の位置への移動を阻止する第１回転枠移動阻止リング３３（上記第１の実施形態と同様構成）を有するのに加えて、さらに、フォーカスリング２０の第２の位置から第１の位置への移動を阻止する第２回転枠移動阻止リング３４を有して構成している。そして、両リング３３，３４は、連結部材２５によって連結されて構成している。
【０１２４】
この構成により、本実施形態においても、上述の第１の実施形態と全く同様の効果を得ることができるのに加えて、さらに、フォーカスリング２０の光軸Ｏ方向における相方向の移動を阻止することができ、よって、簡単な構成によって、常に確実な操作や意図する動作を確実に実行し得ることができる。
また、回転移動阻止部材３０は、２つのリングである第１回転枠移動阻止リング３３と第２回転枠移動阻止リング３４とを備えているが、回転移動阻止部材３０に回転操作力を加える場合はどちらのリングに加えてもよい。
【０１２５】
なお、上記第２の実施形態においては、カムピン７ａを固定部材（固定枠７）側に設け、カム溝３３ａを第１回転枠移動阻止リング３３側に設けた構成を例示しているが、この形態例に限られることはない。例えば、上記例示の形態とは別の形態として、カムピンを回転枠移動阻止部材側に設け、カム溝を固定部材（固定枠）側に設けるように構成してもよい。
【０１２６】
また、上記第２の実施形態においては、カム溝３３ａを第１回転枠移動阻止リング３３側に設けた構成を例示しているが、この構成例に限らず、例えば第２回転枠移動阻止リング３４側にカム溝を設けて構成することも可能である。この場合には、第２回転枠移動阻止リング３４側に設けたカム溝に対応する所定の部位の固定部側にカムピンを設けるように構成すればよい。
【０１２７】
［第２の実施形態の変形例］
上述の第２の実施形態においては、回転枠移動阻止部材３０における第２回転枠移動阻止リング３４は、操作部材としての第１回転枠移動阻止リング３３と連結部材２５によって連結されることによって、第１回転枠移動阻止リング３３の操作に連動して作用するように構成されている。したがって、第２回転枠移動阻止リング３４は、レンズ鏡筒の外部に露出した形態でなくても問題ない。
【０１２８】
そこで、図２４に示すような形態の変形例も考えられる。図２４は、本発明の第２の実施形態のレンズ鏡筒についての変形例を示す図であって、フォーカスリング（第２の枠部材）及び回転枠移動阻止部材の部位の断面を概念的に示す要部拡大断面図である。
【０１２９】
図２４に示すように、回転枠移動阻止部材３０Ａ自体の構成は、上述の第２の実施形態と全く同様の構成からなる。即ち、回転枠移動阻止部材３０Ａは、第１回転枠移動阻止リング３３と、第２回転枠移動阻止リング３４と、連結部材２５とを有して構成されている。第１回転枠移動阻止リング３３にはカム溝（不図示）が設けられ、固定枠７Ａから外方に向けて突設される凸形状の凸部であるカムピン７ａがカム結合している。
【０１３０】
また、連結部材２５は、固定枠７Ａの外周面上に形成された逃げ凹溝７ｇ内に配置されている。この逃げ凹溝７ｇは、固定枠７Ａの円周方向における上記連結部材２５の光軸Ｏ周りの回転を許容すると共に、上記連結部材２５の光軸Ｏに沿う方向の移動を許容し得る範囲内に形成されている。この逃げ凹溝７ｇを設けることによって、レンズ鏡筒自体が太径になることを抑止することができる。
【０１３１】
なお、上記連結部材２５が収納配置される上記逃げ凹溝７ｇの構成については、上述の第２の実施形態において図示及びその構成説明を省略しているが、図２４と全く同様の構成を有しているものとする。
【０１３２】
一方、本変形例におけるフォーカスリング２０Ａは、第２回転枠移動阻止リング３４の外面側を覆う遮蔽部２０Ａｇを有している。この点において、上述の第２の実施形態とは異なる。上記遮蔽部２０Ａｇは、フォーカスリング２０Ａの全周に亘って形成されている。これにより、環状に形成された第２回転枠移動阻止リング３４の外面を全周に亘って被覆している。その他の構成は、上述の第２の実施形態と同様である。
【０１３３】
このような構成によれば、第１回転枠移動阻止リング３３に連結部材２５で連結され、第１回転枠移動阻止リング３３に従動して作用する第２回転枠移動阻止リング３４の外面を、フォーカスリング２０Ａの遮蔽部２０Ａｇによって覆い隠すことができる。したがって、これにより、当該レンズ鏡筒の使用中において、例えば第２回転枠移動阻止リング３４に対して意図せずに触れてしまう等によって、回転枠移動阻止部材３０Ａの機能を損なってしまうといった機会を減少させることができる。よって、確実な所定の機能と良好な操作性を確保することができる。
【０１３４】
［第３の実施形態］
図２５〜図２８は、本発明の第３の実施形態のレンズ鏡筒における回転枠移動阻止部材近傍の構成を概念的に示す図である。なお、図２５〜図２８は、上記第２の実施形態における図２０〜図２３に対応している。
【０１３５】
本実施形態の構成は、上記第２の実施形態と略同様の構成からなり、回転枠移動阻止部材の構成が若干異なるのみである。したがって、上記第２の実施形態と同様の構成については、同じ符号を付してその説明は省略し、異なる構成についてのみ以下に説明する。
【０１３６】
本実施形態の回転枠移動阻止部材３０Ｂは、第１回転枠移動阻止リング３３Ｂと、第２回転枠移動阻止リング３４と、複数の連結部材２５Ｂ等によって主に構成されている。
【０１３７】
第１回転枠移動阻止リング３３Ｂと第２回転枠移動阻止リング３４とは、フォーカスリング２０を挟むようにして、各所定の部位に配置されている。
【０１３８】
第１回転枠移動阻止リング３３Ｂは、光軸Ｏに沿う方向においてフォーカスリング２０の後端寄りの部位に配置されている環状部材である。この第１回転枠移動阻止リング３３Ｂは、光軸Ｏ周りに回転可能であると共に、光軸Ｏに沿う方向に移動可能に構成されている。
【０１３９】
ここで、第１回転枠移動阻止リング３３Ｂは、フォーカスリング２０が第１の位置にあるとき（図２５，図２８）に移動許容位置（図２５）と移動阻止位置（図２８）との間で光軸Ｏに沿う方向に移動し得るように構成されていると共に、フォーカスリング２０が第２の位置にあるとき（図２６，図２７）に上記第２回転枠移動阻止リング３４を移動許容位置（図２６）と移動阻止位置（図２７）との間で光軸Ｏに沿う方向に移動させ得るように構成されている。
【０１４０】
そのために、第１回転枠移動阻止リング３３Ｂは、後述する二種のカム溝、即ち第１カム溝３３Ｂａ（第１のカム手段）と第２カム溝３３Ｂｂ（第２のカム手段）とを有している。これにより、第１回転枠移動阻止リング３３Ｂは、フォーカスリング２０の第１の位置と第２の位置との間の光軸Ｏ方向の移動を許容すると共に、フォーカスリング２０の第１の位置から第２の位置への光軸Ｏ方向の移動を阻止する機能を有し、さらに、第２回転枠移動阻止リング３４を移動許容位置と移動阻止位置との間で光軸Ｏ方向に移動させる機能を有している。
【０１４１】
ここで、第１カム溝３３Ｂａは、第１回転枠移動阻止リング３３Ｂの周面上において、円周方向に沿って設けられる複数の溝部（３３ａａ，３３ａｂ）と、これら複数の溝部を接続する接続溝部（３３ａｆ）とによって形成されるカム溝である。
【０１４２】
第１カム溝３３Ｂａは、第１回転枠移動阻止リング３３Ｂ（移動阻止部材）を移動許容位置に維持するために円周方向に沿って伸びた第１の領域（図２５の符号［Ａ］で示す領域）と、この第１の領域［Ａ］の一端からさらに円周方向に延長して伸びた第２の領域（図２５の符号［Ｂ］で示す領域）とを有する第１溝部３３ａａと、第１回転枠移動阻止リング３３Ｂ（移動阻止部材）を移動阻止位置に維持するため第１溝部３３ａａから連続して第１溝部３３ａａに対し光軸Ｏ方向にずれた位置に円周方向に沿って伸びた第２溝部３３ａｂと、上記第１溝部３３ａａと上記第２溝部３３ａｂとを接続し、第１回転枠移動阻止リング３３Ｂを移動許容位置（図２５）と移動阻止位置（図２８）とに移動させる接続溝部３３ａｆとを有する（図２５等参照）。
【０１４３】
ここで、本実施形態においては、第１回転枠移動阻止リング３３Ｂの光軸Ｏに沿う幅方向において前端寄りの領域に第１溝部３３ａａが、後端寄りの領域に第２溝部３３ａｂが形成されている。
【０１４４】
上記第１カム溝３３Ｂａは、第１回転枠移動阻止リング３３Ｂの周面上において、周方向に略等間隔に複数（例えば本実施形態においては回転角度１２０度間隔で三つ）設けられている。上記複数の第１カム溝３３Ｂａには、固定枠７Ｂから径方向外方に向けて突設される凸形状の第１の凸部であるカムピン７Ｂａがカム結合している（図２５〜図２８等参照）。したがって、上記カムピン７Ｂａ（第１の凸部）と第１カム溝３３Ｂａとによって第１のカム手段が構成されている。この第１のカム手段は、第１回転枠移動阻止リング３３Ｂを光軸Ｏ周りに回転させると共に、同第１回転枠移動阻止リング３３Ｂの光軸Ｏに沿う方向への移動を可能としている。
【０１４５】
一方、第２カム溝３３Ｂｂは、第１回転枠移動阻止リング３３Ｂの周面上において、円周方向に沿って設けられる複数の溝部（３３ｂａ，３３ｂｂ，３３ｂｃ）と、これら複数の溝部を接続する複数の接続溝部（３３ｂｄ，３３ｂｅ）とによって形成されるカム溝である。
【０１４６】
即ち、第２カム溝３３Ｂｂは、カムピン７Ｂａ（第１の凸部）が第１溝部３３ａａの第１の領域［Ａ］にあるとき（即ち図２５の状態にあるとき）、第２回転枠移動阻止リング３４（第２の移動阻止部材）を第２の移動許容位置に維持するために円周方向に沿って伸びた第４溝部３３ｂａと、カムピン７Ｂａ（第１の凸部）が第２溝部３３ａｂにあるとき（即ち図２８の状態にあるとき）、第２回転枠移動阻止リング３４（第２の移動阻止部材）を第２の移動許容位置に維持し、第１回動枠移動阻止リング３３（移動阻止部材）を移動阻止位置に維持させ、第２回転枠移動阻止リング３４（第２の移動阻止部材）と共に、フォーカスリング２０（第２の枠部材）を、第１の位置にて回動可能に挟むため光軸Ｏ方向にずれて円周方向に伸びた第５溝部３３ｂｂと、第４溝部３３ｂａから連続して第４溝部３３ｂａと平行で光軸Ｏ方向にずれた位置に円周方向に沿って伸びて、カムピン７Ｂａ（第１の凸部）が第１溝部３３ａａの第２の領域［Ｂ］にあるとき（即ち図２７の状態にあるとき）、第２回転枠移動阻止リング３４（第２の移動阻止部材）を第２の移動阻止位置に維持し、第１回転枠移動阻止リング３３（移動阻止部材）と共にフォーカスリング２０（第２の枠部材）を、第２の位置にて回動可能に挟む第６溝部３３ｂｃと、上記第４溝部３３ｂａと上記第５溝部３３ｂｂとを接続する第１接続溝部３３ｂｄと、上記第４溝部３３ｂａと上記第６溝部３３ｂｃとを接続する第２接続溝部３３ｂｅとを有する（図２５等参照）。
【０１４７】
ここで、本実施形態においては、第４溝部３３ｂａは、第１回転枠移動阻止リング３３Ｂの光軸Ｏに沿う幅方向において前端寄りの領域に形成されている。また、第５溝部３３ｂｂ，第６溝部３３ｂｃは、第１回転枠移動阻止リング３３Ｂの光軸Ｏに沿う幅方向において第４溝部３３ｂａよりも後端寄りの領域に形成されている。
【０１４８】
なお、第４溝部３３ｂａは、両回転枠移動阻止リング３３Ｂ，３４を移動許容位置に維持する機能を有する。第５溝部３３ｂｂは、第１回転枠移動阻止リング３３Ｂを移動阻止位置に維持する機能を有する。第６溝部３３ｂｃは、第２回転枠移動阻止リング３４を第２の移動阻止位置に維持する機能を有する。第１接続溝部３３ｂｄは、接続溝３３ａｆの作用と共に第１回転枠移動阻止リング３３Ｂを移動許容位置（図２５）から移動阻止位置（図２８）へと移動させる機能を有する。第２接続溝部３３ｂｅは、第２回転枠移動阻止リング３４を移動許容位置（図２６）から移動阻止位置（図２７）へと移動させる機能を有する。
【０１４９】
上記第２カム溝３３Ｂｂは、第１回転枠移動阻止リング３３Ｂの周面上において、周方向に略等間隔に複数（例えば本実施形態においては、上記第１カム溝３３Ｂａと同様に回転角度１２０度間隔で三つ）設けられている。上記複数の第２カム溝３３Ｂｂには、上記複数の連結部材２５Ｂの各カムピン２５Ｂａがそれぞれカム結合している（図２５〜図２８等参照）。ここで、上記カムピン２５Ｂａは、各連結部材２５Ｂの先端部近傍において径方向外方に向けて突設されており、各カムピン２５Ｂａは第２カム溝３３Ｂｂにカム結合している。なお、上記カムピン２５Ｂａ自体の構成は、上述の第２の実施形態におけるカムピン７ａと略同様である。したがって、上記カムピン２５Ｂａ（第２の凸部）と第２カム溝３３Ｂｂとによって第２のカム手段が構成されている。この第２のカム手段は、第２回転枠移動阻止リング３４の光軸Ｏに沿う方向への移動を可能としている。
【０１５０】
他方、第２回転枠移動阻止リング３４は、光軸Ｏに沿う方向においてフォーカスリング２０の前端寄りの部位に配置されている環状部材である。この第２回転枠移動阻止リング３４は、光軸Ｏに沿う方向にのみ移動可能であり、光軸Ｏ周りへの回転は、複数の連結部材２５Ｂによって規制されている。そして、上述したように、第２回転枠移動阻止リング３４は、上記連結部材２５Ｂの一端が固定され、同連結部材２５Ｂの他端は、カムピン２５Ｂａを介して第１回転枠移動阻止リング３３Ｂとカム結合により連結されている。
【０１５１】
上記複数の連結部材２５Ｂは、光軸Ｏに沿う方向に延びる長軸を有し、固定枠７Ｂの外周面上において光軸Ｏに沿う方向にのみ移動可能に配置されている。そのために、固定枠７Ｂの外周面上には、上記複数の連結部材２５Ｂに対応する部位に、光軸Ｏに沿う方向に延びる複数の長溝７Ｂｇ（図２４における逃げ凹溝７ｇに相当する）が形成されている（図２５参照）。そして、上記複数の連結部材２５Ｂは、上記複数の長溝７Ｂｇに対し、これに沿う方向に摺動可能に配置されている。
【０１５２】
上記複数の連結部材２５の一端（先端側）は第２回転枠移動阻止リング３４（第２の移動阻止部材）に固定されている。また、上記複数の連結部材２５の他端（後端側）は第１回転枠移動阻止リング３３Ｂに対して後述する第２のカム手段（２５Ｂａ，３３Ｂａ）を介してカム結合している。
【０１５３】
ここで、上記連結部材２５の他端（後端側）と第１回転枠移動阻止リング３３Ｂとの間に介在する第２のカム手段は、複数の連結部材２５が有するカムピン２５Ｂａと第１回転枠移動阻止リング３３Ｂの有する第１カム溝３３Ｂａとによって構成されている。
【０１５４】
上記カムピン２５Ｂａは、連結部材２５の他端（後端側）近傍に植設され、径方向外方に向けて突設された凸形状部であり第２の凸部である。
【０１５５】
上記第１カム溝３３Ｂａは、固定枠７Ｂに固定されたカムピン７Ｂａと係合（カム結合）するために第１回転枠移動阻止リング３３Ｂ（移動阻止部材）に設けられた溝部であり、その構成は上述した通りである。
【０１５６】
このような構成により、第１回転枠移動阻止リング３３Ｂが固定枠７Ｂに対して光軸Ｏ周りに回転すると、カムピン７Ｂａは相対的に第１カム溝３３Ｂａに沿って移動する。このとき、カムピン７Ｂａが第１カム溝３３Ｂａの第１溝部３３ａａと第２溝部３３ａｂとの間を接続溝部３３ａｆを介して移動することによって、当該第１回転枠移動阻止リング３３Ｂは、光軸Ｏ周りに回転しながら光軸Ｏに沿う方向へと所定のタイミングで所定の距離だけ移動する。
【０１５７】
これと同時に、上記第１回転枠移動阻止リング３３Ｂの固定枠７Ｂに対する光軸Ｏ周りの回転及び光軸Ｏ方向の移動に連動して、上記第２回転枠移動阻止リング３４は、所定のタイミングで光軸Ｏ方向に所定の距離だけ移動する。
【０１５８】
例えば、図２５，図２６に示す状態は、第１回転枠移動阻止リング３３Ｂ及び第２回転枠移動阻止リング３４が、フォーカスリング２０を第１の位置と第２の位置とに移動可能にする移動許容位置にある状態を示している。そして、図２５ではフォーカスリング２０が第１の位置にあり、図２６では、フォーカスリング２０が第２の位置にある状態を示している。
【０１５９】
この状態においては、フォーカスリング２０は第１の位置（図２５）と第２の位置（図２６）との間で光軸Ｏに沿う方向に移動可能である。つまり、図２５に示す状態において、第１の位置にあるフォーカスリング２０を、同図２５の矢印Ｏ２方向に移動させると、フォーカスリング２０は第２の位置へと移動して図２６に示す状態となる。このとき、回転枠移動阻止部材３０Ｂはクリックボール７ｃとバネ７ｄ及びクリック穴７ｇから構成されるクリック手段により不動状態が維持されている。
【０１６０】
一方、図２５に示す状態にあるとき、第１回転枠移動阻止リング３３Ｂが光軸Ｏ周りの方向において図２５の矢印Ｒ１方向に回転すると図２８に示す状態に移行する。即ち、図２５の状態で第１回転枠移動阻止リング３３Ｂが同図２５の矢印Ｒ１方向に回転すると、カムピン７Ｂａは相対的に第１カム溝３３Ｂａに沿って第１溝部３３ａａから接続溝部３３ａｆを介して第２溝部３３ａｂへと移動する。これにより、第１回転枠移動阻止リング３３Ｂは、光軸Ｏ周りに回転しながら光軸Ｏに沿う方向において後端寄りの移動許容位置から前方に向けて移動阻止位置へと移動する。
【０１６１】
これと同時に、第１回転枠移動阻止リング３３Ｂの光軸Ｏ周りの矢印Ｒ１方向の回転は、カムピン２５Ｂａを相対的に第２カム溝３３Ｂｂに沿って第４溝部３３ｂａから第１接続溝部３３ｂｄを介して第５溝部３３ｂｂへと移動させる。これにより、第１回転枠移動阻止リング３３Ｂは、連結部材２５Ｂを介して連結される第２回転枠移動阻止リング３４が光軸Ｏに沿う方向に移動させないようにしている。このようにして、図２８に示す状態に移行すると、この状態において、第１回転枠移動阻止リング３３Ｂは、フォーカスリング２０の第１の位置から第２の位置への移動を阻止する。
【０１６２】
他方、フォーカスリング２０が第２の位置にある図２６に示す状態にあるとき、第１回転枠移動阻止リング３３Ｂが光軸Ｏ周りの方向において図２６の矢印Ｒ２方向に回転すると図２７に示す状態に移行する。即ち、図２６の状態で第１回転枠移動阻止リング３３Ｂが同図２６の矢印Ｒ２方向に回転すると、カムピン７Ｂａは相対的に第１カム溝３３Ｂａに沿って第１溝部３３ａａを移動する。これにより、第１回転枠移動阻止リング３３Ｂは、光軸Ｏ周りに回転するのみである。
【０１６３】
これと同時に、第１回転枠移動阻止リング３３Ｂの光軸Ｏ周りの矢印Ｒ２方向の回転は、カムピン２５Ｂａを相対的に第２カム溝３３Ｂｂに沿って第４溝部３３ｂａから第２接続溝部３３ｂｅを介して第６溝部３３ｂｃへと移動させる。これにより、第１回転枠移動阻止リング３３Ｂは、連結部材２５Ｂを介して連結される第２回転枠移動阻止リング３４を光軸Ｏに沿う方向において図２６の矢印Ｏ２方向に移動させる。このようにして、図２７に示す状態に移行すると、この状態において、第２回転枠移動阻止リング３４は、フォーカスリング２０の第２の位置から第１の位置への移動を阻止する。
【０１６４】
以上説明したように上記第３の実施形態によれば、回転枠移動阻止部材３０Ｂは、第１回転枠移動阻止リング３３Ｂと第２回転枠移動阻止リング３４と複数の連結部材２５Ｂとによって構成され、第１回転枠移動阻止リング３３Ｂと第２回転枠移動阻止リング３４とは第２のカム手段（２５Ｂａ，３３Ｂａ）のカム結合により連結するようにし、第１回転枠移動阻止リング３３Ｂを固定枠７に対して第１のカム手段（７ａ，３３Ｂｂ）のカム結合により光軸周りに回転可能にかつ光軸に沿う方向に移動可能に構成している。
【０１６５】
この構成により、上述の第１の実施形態と全く同様の効果を得ることができる。さらに、本実施形態においては、第１回転枠移動阻止リング３３Ｂと第２回転枠移動阻止リング３４との連結を第２のカム手段（ピン２５Ｂａ，溝３３Ｂａ）によるカム結合としたので、第１回転枠移動阻止リング３３Ｂの回転操作によって、第２回転枠移動阻止リング３４を光軸Ｏに沿う方向にのみ移動させるように構成できる。したがって、第１回転枠移動阻止リング３３Ｂと第２回転枠移動阻止リング３４とを光軸Ｏに沿う方向へと移動させる際には、それぞれを適宜必要なタイミングで移動させることができる。したがって、各リング部材について不必要な移動が行われることがなく、移動のための内部空間を必要以上に確保する必要が無い。したがって、レンズ鏡筒自体の大型化を抑止することができる。
【０１６６】
なお、上記第３の実施形態においては、カムピン７Ｂａを固定部材（固定枠７Ｂ）側に設け、第１カム溝３３Ｂａを第１回転枠移動阻止リング３３側に設けた構成を例示しているが、この形態例に限られることはない。例えば、上記例示の形態とは別の形態として、カムピンを回転枠移動阻止部材側に設け、カム溝を固定部材（固定枠）側に設けるように構成してもよい。
【０１６７】
また、上記第３の実施形態においては、第１カム溝３３Ｂａを第１回転枠移動阻止リング３３側に設けた構成を例示しているが、この構成例に限らず、例えば第２回転枠移動阻止リング３４側にカム溝を設けて構成することも可能である。この場合には、第２回転枠移動阻止リング３４側に設けたカム溝に対応する所定の部位の固定部側にカムピンを設けるように構成すればよい。また、第２カム溝３３Ｂｂの配置についても同様である。この場合は、連結部材２５Ｂの取り付けやカムピン２５Ｂａの配置も合わせて変更する必要があるが、この形態でも、上述の第３の実施形態に準じた構成を実現でき、略同様の作用効果を得ることが可能である。
【０１６８】
［第３の実施形態の変形例］
上述の第３の実施形態に対しても、上述の第２の実施形態の変形例と同様の構成とすることが可能である。即ち、図２９は、本発明の第３の実施形態のレンズ鏡筒についての変形例を示す図であって、フォーカスリング（第２の枠部材）及び回転枠移動阻止部材の部位の断面を概念的に示す要部拡大断面図である。
【０１６９】
図２９に示すように、回転枠移動阻止部材３０Ｂ自体の構成は、上述の第３の実施形態と全く同様の構成からなる。回転枠移動阻止部材３０Ｂは、第１回転枠移動阻止リング３３Ｂと、第２回転枠移動阻止リング３４と、複数の連結部材２５Ｂとを有して構成されている。
【０１７０】
第１回転枠移動阻止リング３３Ｂには、二種のカム溝（不図示；第１カム溝３３Ｂａと第２カム溝３３Ｂｂ）が設けられ、第１カム溝３３Ｂａには固定枠７Ｂから外方に向けて突設される凸形状の凸部であるカムピン７Ｂａがカム結合する。また、第２カム溝３３Ｂｂには連結部材２５Ｂの後端近傍から外方に向けて突設される凸形状の凸部であるカムピン２５Ｂａがカム結合する。
【０１７１】
複数の連結部材２５は、固定枠７Ｂの外周面上に形成された長溝７Ｂｇ（逃げ凹溝）内に配置されている。この長溝７Ｂｇは、上記連結部材２５の光軸Ｏに沿う方向の移動を許容する。なお、第１の実施形態ないし第３の実施形態において、連結部材２５を複数用いたが、必ずしも複数で無く単数で構成してもよい。
【０１７２】
そして、本変形例に適用されるフォーカスリング２０Ａは、上述の第２の実施形態の変形例で示したもの（図２４参照）と同様構成のものである。即ち、当該フォーカスリング２０Ａは、第２回転枠移動阻止リング３４の外面側を覆う遮蔽部２０Ａｇを有して構成されている。
【０１７３】
上記遮蔽部２０Ａｇは、フォーカスリング２０Ａの全周に亘って形成されている。これにより、環状に形成された第２回転枠移動阻止リング３４の外面を全周に亘って被覆している。その他の構成は、上述の第３の実施形態と同様である。
【０１７４】
このような構成によれば、上記第３の実施形態の構成においても、上述の第２の実施形態の変形例と全く同様に、固定枠移動阻止部材Ｂにおける一方の第２回転枠移動阻止リング３４の外部への露出を多い隠すことができる。
【０１７５】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。
【符号の説明】
【０１７６】
１，１Ａ……レンズ鏡筒，
２……フード筒,３，４……外装部材，５……ファンクションボタン，６……レンズマウントリング，７，７Ａ，７Ｂ……固定枠，７ａ，７Ｂａ……カムピン，７ｂ……直線溝，７ｃ……クリックボール，７ｄ……板バネ，７ｇ……凹溝，７Ｂｇ……長溝，
８……前方固定枠，９……中央固定枠，１０……後方固定枠，
２０，２０Ａ……フォーカスリング，２０Ａｇ……遮蔽部，２０ａ，２０ｂ……当接用端面，２１，２１Ａ，２１Ｂ……カバーリング部材，２２……レバー部，２２ａ……カムピン，２３……回転枠移動阻止リング，２３ａ……カム溝，２３ａａ……第１溝部，２３ａｂ……第２溝部，２３ａｄ……接続溝部，２３ｂ，２３Ａｂ……有底カム溝，２３ｄ，３４ｄ……規制用端面，２３ｇ……クリック穴，２４……クラッチ機構，２５，２５Ｂ……連結部材，２５Ｂａ……カムピン，３０，３０Ａ，３０Ｂ……回転枠移動阻止部材，
３３，３３Ｂ……第１回転枠移動阻止リング３３，
３３ａ……カム溝，３３ａａ……第１溝部，３３ａｂ……第２溝部，３３ａｃ……第３溝部，３３ａｄ……第１接続溝部，３３ａｅ……第２接続溝部，３３ａｆ……接続溝部，３３ｂ……有底カム溝，３３ｂａ……第４溝部，３３ｂｂ……第５溝部，３３ｂｃ……第６溝部，３３ｂｄ……第１接続溝部，３３ｂｅ……第２接続溝部，３３ｇ……クリック穴，３３Ｂａ……第１カム溝，３３Ｂｂ……第２カム溝，
３４……第２回転枠移動阻止リング，３４ｄ……規制用端面，
【図１】
2017003656.tif 000003
【図２】
2017003656.tif 000004
【図３】
2017003656.tif 000005
【図４】
2017003656.tif 000006
【図５】
2017003656.tif 000007
【図６】
2017003656.tif 000008
【図７】
2017003656.tif 000009
【図８】
2017003656.tif 000010
【図９】
2017003656.tif 000011
【図１０】
2017003656.tif 000012
【図１１】
2017003656.tif 000013
【図１２】
2017003656.tif 000014
【図１３】
2017003656.tif 000015
【図１４】
2017003656.tif 000016
【図１５】
2017003656.tif 000017
【図１６】
2017003656.tif 000018
【図１７】
2017003656.tif 000019
【図１８】
2017003656.tif 000020
【図１９】
2017003656.tif 000021
【図２０】
2017003656.tif 000022
【図２１】
2017003656.tif 000023
【図２２】
2017003656.tif 000024
【図２３】
2017003656.tif 000025
【図２４】
2017003656.tif 000026
【図２５】
2017003656.tif 000027
【図２６】
2017003656.tif 000028
【図２７】
2017003656.tif 000029
【図２８】
2017003656.tif 000030
【図２９】
2017003656.tif 000031